(57)【要約】      （修正有）【課題】着用者の肌に対向する肌側シートが不織布である吸収性物品であって、吸水性能の悪化を抑制しつつ、着用者の肌を均一に保護し易い吸収性物品を提供する。【解決手段】吸収性物品は、着用者の肌に対向する肌側シートを有する。肌側シートは、不織布である。親水性を有する繊維処理剤からなる油層５５２が、不織布を構成する第１繊維５５の繊維本体５５１の表面を覆っている。油層には、植物油が存在する。また肌側シートは、第１繊維間に配置されている天然繊維５６を有し、天然繊維の表面は、油層によって覆われていない。【選択図】図５
0003219622.tif 000002
【実用新案登録請求の範囲】
【請求項１】
着用者の肌に対向する肌側シートを有する吸収性物品であって、
前記肌側シートは、不織布であり、
親水性を有する繊維処理剤からなる油層が、前記不織布を構成する繊維の表面を覆っており、
前記油層には、植物油が存在する、吸収性物品。
【請求項２】
前記肌側シートは、肌面側に突出する複数の凸部が前記肌側シートの肌面側に分散して配置されている不織布である請求項１に記載の吸収性物品。
【請求項３】
前記肌側シートは、前記肌側シートが厚さ方向に圧搾された圧搾部と、前記圧搾部の周囲に位置する非圧搾部と、を有し、
前記圧搾部における単位面積当たりの前記繊維に対する前記植物油の重量％は、前記非圧搾部における単位面積当たりの前記繊維に対する前記植物油の重量％と同一である請求項１又は２に記載の吸収性物品。
【請求項４】
前記油層には、前記植物油として、オリーブ油、ホホバ油、ライス油、シアバター、茶油、アロエ油、アルガン油、桃油のうちの１種類以上の植物油が存在する請求項１から３のいずれか１項に記載の吸収性物品。
【請求項５】
前記油層には、前記植物油として、オリーブ油、ホホバ油、ライス油、シアバター、茶油、アロエ油、アルガン油、桃油のうちの２種以上の植物油が存在する請求項１から４のいずれか１項に記載の吸収性物品。
【請求項６】
前記油層には、前記油層の重量に対して５重量％以上、２０重量％以下の前記植物油が存在する請求項１から５のいずれか１項に記載の吸収性物品。
【請求項７】
前記油層は、弱酸性である請求項１から６のいずれか１項に記載の吸収性物品。
【請求項８】
前記肌側シートは、前記繊維間に配置されている天然繊維を有しており、
前記天然繊維の表面は、前記油層によって覆われていない請求項１から７のいずれか１項に記載の吸収性物品。
【請求項９】
前記繊維処理剤は、植物由来の油剤により構成されている請求項１から８のいずれか１項に記載の吸収性物品。
【請求項１０】
着用者の肌に対向する肌側シートを有する吸収性物品と、複数の前記吸収性物品を包装する袋状の包装シートと、を有する吸収性物品の包装体であって、
前記肌側シートは、不織布であり、
親水性を有する繊維処理剤からなる油層が、前記不織布を構成する繊維の表面を覆っており、
前記油層には、植物油が存在する、吸収性物品の包装体。
【請求項１１】
前記包装シートは、前記吸収性物品に前記植物油が存在することを表示する表示部を有する請求項１０に記載の吸収性物品の包装体。
【考案の詳細な説明】
【技術分野】
【０００１】
本考案は、吸収性物品及び吸収性物品の包装体に関する。
【背景技術】
【０００２】
特許文献１には、着用者の肌に対向する肌側シートを有し、当該肌側シートにスキンケア剤が塗布された吸収性物品が開示されている。スキンケア剤の例としては、オリーブ油、ホホバ油、紅花油といった植物油が挙げられている（特許文献１の段落００５９参照）。
【０００３】
これにより、着用者が吸収性物品を着用することで、着用者の肌に、肌側シートに塗布されているスキンケア剤としての植物油が転写されて、肌トラブルを低減することができる。
【先行技術文献】
【特許文献】
【０００４】
【特許文献１】特開２０１７−２０２２５４号公報
【考案の概要】
【考案が解決しようとする課題】
【０００５】
着用者の肌に転写される植物油の量を均一にするために、肌側シート上に植物油を均一に塗布することが想定される。
【０００６】
しかしながら、肌側シートが不織布により構成されている場合、当該不織布を構成する各繊維が、互いに絡まって結合している。このため、不織布の表面粗さは一般的に粗くなり易い。また、吸収性物品としての機能を高めるために、肌側シートが厚さ方向に圧搾されるなどの加工が行われることによって、肌側シートの厚みが変化することがある。
【０００７】
従って、不織布である肌側シートに植物油を均一に塗布しようとしても、塗布ムラが発生したり、植物油が塗布されていない領域が発生したりすることがあった。このため、着用者の肌を均一に保護できないという問題があった。
【０００８】
また、肌側シート上に塗布された疎水性の植物油が繊維の隙間に入り込むことによって、尿や経血などの親水性の排泄物が、非肌面側へ移動することが制限される。このため、吸水性能が悪化し易いという問題があった。
【０００９】
そこで、着用者の肌に対向する肌側シートが不織布である吸収性物品であって、吸水性能の悪化を抑制しつつ、着用者の肌を均一に保護し易い吸収性物品が望まれる。
【課題を解決するための手段】
【００１０】
本開示に係る吸収性物品は、着用者の肌に対向する肌側シートを有する。前記肌側シートは、不織布である。親水性を有する繊維処理剤からなる油層が、前記不織布を構成する繊維の表面を覆っている。前記油層には、植物油が存在する。
【図面の簡単な説明】
【００１１】
【図１】図１は、一実施形態に係る吸収性物品を肌面側から見た模式平面図である。
【図２】図２は、肌側シートの一部が拡大された模式斜視図である。
【図３】図３は、図２に示す肌側シートを肌面側から見た模式平面図である。
【図４】図４は、図３のＡ−Ａ線に沿った模式断面図である。
【図５】図５は、肌側シート（不織布）を構成する繊維を示す拡大模式図である。
【図６】図６は、一実施形態に係る包装体の正面側からの模式斜視図である。
【図７】図７は、図６のＤ−Ｄ線に沿った模式断面図である。
【考案を実施するための形態】
【００１２】
（１）実施形態の概要
本明細書及び添付図面の記載により、少なくとも以下の事項が明らかとなる。
【００１３】
一態様に係る吸収性物品は、着用者の肌に対向する肌側シートを有する。前記肌側シートは、不織布である。親水性を有する繊維処理剤からなる油層が、前記不織布を構成する繊維の表面を覆っている。前記油層には、植物油が存在する。
【００１４】
これにより、着用者の肌が肌側シート（すなわち、繊維）に触れることで、着用者の触れた部分を構成する繊維の表面を覆っている油層が着用者の肌に均一に転写される。当該油層には植物油が存在するため、着用者の肌に植物油を均一に転写し易くなり、着用者の肌を均一に保護し易くなる。また、油層は、親水性を有するため、親水性の排泄物が非肌面側へ移動し易くなる。加えて、油層が繊維の表面を覆っているため、排泄物が、繊維の隙間を移動可能であるため、吸水性能の悪化を抑制できる。
【００１５】
好ましい一態様によれば、前記肌側シートは、肌面側に突出する複数の凸部が前記肌側シートの肌面側に分散して配置されている不織布であってよい。複数の凸部が分散して配置されることによって通気性を確保しつつも、着用者の肌から肌側シートへ圧力が加わると凸部だけでなく、複数の凸部間に位置する凹部も着用者の肌に接触する。凹部に配置されている繊維の表面も油層で覆われているため、植物油を着用者の肌に均一に転写し易くなる。
【００１６】
好ましい一態様によれば、前記肌側シートは、前記肌側シートが厚さ方向に圧搾された圧搾部と、前記圧搾部の周囲に位置する非圧搾部と、を有してよい。前記圧搾部における単位面積当たりの前記繊維に対する前記植物油の重量％は、前記非圧搾部における単位面積当たりの前記繊維に対する前記植物油の重量％と同一であってよい。油層は、繊維の表面を覆っており、圧搾部と非圧搾部とで繊維の重量自体は同一であるため、油層に含まれる植物油の重量も同一である。圧搾部と非圧搾部とで植物油の量が変化しないため、植物油を着用者の肌に均一に転写し易くなる。
【００１７】
好ましい一態様によれば、前記油層には、前記植物油として、オリーブ油、ホホバ油、ライス油、シアバター、茶油、アロエ油、アルガン油、桃油のうちの１種類以上の植物油が存在してよい。これにより、油層に含まれる植物油が、食品で使用されている植物油、又は、肌保護のために実際に肌に塗布されている植物油であるため、吸収性物品を着用者に装着する装着補助者又は着用者に、吸収性物品に含まれる植物油に対する安心感を与えることができる。
【００１８】
好ましい一態様によれば、前記油層には、前記植物油として、オリーブ油、ホホバ油、ライス油、シアバター、茶油、アロエ油、アルガン油、桃油のうちの２種以上の植物油が存在してよい。これにより、２種以上の植物油が着用者の肌に転写されることによる複数の効果（例えば、保湿効果、抗炎症効果、抗酸化効果など）が得られ易くなり、着用者の肌を多面的に保護することができる。
【００１９】
好ましい一態様によれば、前記油層には、前記油層の重量に対して５重量％以上、２０重量％以下の前記植物油が存在してよい。油層に５重量％以上の植物油が存在することにより、着用者の肌に接触する植物油の量が増加するため、植物油を着用者の肌に均一に転写し易くなる。また、油層に２０重量％以下の植物油が存在することにより、油層が繊維を覆っていても、植物油の疎水性によって排泄物の移動が阻害され難いため、親水性の排泄物が繊維の隙間を移動でき、吸水性能の悪化を抑制できる。
【００２０】
好ましい一態様によれば、前記油層は、弱酸性であってよい。これにより、着用者の肌は弱酸性であるため、同じ弱酸性の油層が着用者の肌に触れても、着用者の肌に対する刺激を受け難くなる。
【００２１】
好ましい一態様によれば、前記肌側シートは、前記繊維間に配置されている天然繊維を有してよい。前記天然繊維の表面は、前記油層によって覆われていなくてよい。着用者の排尿によって油層が繊維から剥がされた場合に、剥がされた油層が天然繊維に吸着されることによって、肌側シートに植物油が残り易くなる。これにより、排尿後においても、着用者の肌を保護する効果を得ることができる。
【００２２】
好ましい一態様によれば、前記繊維処理剤は、植物由来の油剤により構成されてよい。植物由来の油剤は、人の皮膚に直接塗布される化粧品などに使用された実績がある。従って、吸収性物品を着用者に装着する装着補助者又は着用者に、吸収性物品が油層を有することに対する安心感を与えることができる。
【００２３】
一態様に係る吸収性物品の包装体は、着用者の肌に対向する肌側シートを有する吸収性物品と、複数の前記吸収性物品を包装する袋状の包装シートと、を有する。前記肌側シートは、不織布である。親水性を有する繊維処理剤からなる油層が、前記不織布を構成する繊維の表面を覆っている。前記油層には、植物油が存在する。
【００２４】
好ましい一態様によれば、前記包装シートは、前記吸収性物品に前記植物油が存在することを表示する表示部を有してよい。吸収性物品を着用者に装着する装着補助者又は着用者が、包装シートの表示部を視認することで、吸収性物品には植物油が存在することを把握できる。植物油は、天然に存在するものであるため、装着補助者又は着用者に対して安心感を与えることができる。
【００２５】
（２）実施形態の詳細説明
次に、図面を参照して、一実施形態に係る吸収性物品について説明する。本実施形態において、吸収性物品は、テープタイプの吸収性物品である。この代わりに、吸収性物品は、パンツタイプの吸収性物品であってもよい。なお、吸収性物品は、乳幼児用のおむつであってもよく、大人用のおむつであってもよい。
【００２６】
以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２７】
図１は、一実施形態に係る吸収性物品を肌面側から見た模式平面図である。図１は、伸長状態の吸収性物品を示している。図２は、肌側シートの一部が拡大された模式斜視図である。図３は、図２に示す肌側シートを肌面側から見た模式平面図である。図４は、図３のＡ−Ａ線に沿った模式断面図である。図５は、肌側シート（不織布）を構成する繊維を示す拡大模式図である。図５Ａは、不織布を構成する繊維を示す拡大模式図である。図５Ｂは、図５ＡのＢ−Ｂ断面図を示す模式断面図であり、第１繊維を示す模式断面図である。図５Ｃは、図５ＡのＣ−Ｃ断面図を示す模式断面図であり、第２繊維を示す模式断面図である。図６は、一実施形態に係る包装体の正面側からの模式斜視図である。図７は、図６のＤ−Ｄ線に沿った模式断面図である。なお、本考案における伸長状態とは、吸収性物品１０を皺が形成されない状態まで伸長させた状態である。また、本考案における自然状態とは、パッケージに収容されている吸収性物品１０にあっては、パッケージから吸収性物品１０を取り出し、２０℃±２℃、相対湿度６０％±５％ＲＨの雰囲気下において２４時間放置した状態である。
【００２８】
吸収性物品１０は、前後方向Ｌと、幅方向Ｗと、厚さ方向Ｔと、を有する。前後方向Ｌは、着用状態において、吸収性物品１０の腹側と背側とを結ぶ方向である。幅方向Ｗは、吸収性物品１０の平面視で前後方向Ｌに直交する方向である。厚さ方向Ｔは、前後方向Ｌと幅方向Ｗの両方に直交する方向である。非肌面又は非肌面側Ｔ２は、吸収性物品の着用状態において、着用者の肌とは反対側に向く面又は側を意味する。一方、肌面又は肌面側Ｔ１は、吸収性物品の着用状態において、着用者の肌の方に向く面又は側を意味する。
【００２９】
吸収性物品１０は、前胴回り域Ｓ１と、股下域Ｓ３と、後胴回り域Ｓ２と、を有する。前胴回り域Ｓ１は、吸収性物品の使用時に、着用者の前胴回りに面する領域である。後胴回り域Ｓ２は、吸収性物品の使用時に、着用者の後胴回りに面する領域である。股下域Ｓ３は、吸収性物品の使用時に、着用者の股下に位置する領域であり、前胴回り域Ｓ１と後胴回り域Ｓ２との間に位置する。股下域Ｓ３は、着用者の脚回りに配置される脚回り開口部６５が設けられた領域である。脚回り開口部６５は、吸収性物品の外側縁から幅方向の内側に凹む部分である。
【００３０】
吸収性物品１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体３０が構成されてよい。コアラップ３２は、ティッシュによって構成され、吸収コア３１の肌面側Ｔ１と吸収コアの非肌面側に配置されてよい。
【００３１】
図１に示すように、吸収性物品は、着用者の肌に対向する肌側シート５０を有する。肌側シート５０は、吸収コア３１を含む吸収体３０の肌面側Ｔ１に設けられる表面シート５１により構成される。肌側シート５０は、表面シート５１に加えて、サイドシート５２により構成されてもよい。
【００３２】
肌側シート５０は、不織布である。図５に示すように、肌側シート５０（不織布）を構成する繊維本体５５１の表面は、親水性を有する繊維処理剤からなる油層５５２により覆われている。油層５５２には、植物油が存在する。これにより、着用者の肌が肌側シート５０（すなわち、第１繊維５５）に触れることで、着用者の触れた部分を構成する繊維本体５５１の表面を覆っている油層５５２が着用者の肌に均一に転写される。当該油層５５２には植物油が存在するため、着用者の肌に植物油を均一に転写し易くなり、着用者の肌を均一に保護し易くなる。また、油層５５２は、親水性を有するため、親水性の排泄物が非肌面側へ移動し易くなる。加えて、油層５５２が繊維本体５５１の表面を覆っているため、排泄物が、繊維本体５５１と油層５５２とからなる第１繊維５５の隙間を移動可能であるため、吸水性能の悪化を抑制できる。
【００３３】
表面シート５１は、吸収体３０の幅方向Ｗの中心を跨いで配置されてよい。サイドシート５２は、表面シート５１の外側部を覆うように配置されてよい。サイドシート５２の内側部は、折り返されて重なってよい。重なったサイドシート５２間には、前後方向Ｌに伸縮する防漏伸縮部４３が設けられてよい。防漏伸縮部４３は、前後方向Ｌに伸縮する糸ゴムによって構成されてよい。サイドシート５２と防漏伸縮部４３は、着用時に肌面側Ｔ１に起立する防漏ギャザーを構成する。
【００３４】
吸収体３０の非肌面側Ｔ２には、裏面シート２３及び外装シート２４が設けられてよい。外装シート２４は、裏面シート２３の非肌面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００３５】
本実施形態の表面シート５１（肌側シート５０）は、図２及び図３に示すように、肌面側Ｔ１に突出する複数の凸部５３が該表面シート５１の面内方向に分散した凹凸構造を備える不織布であってよい。複数の凸部５３が分散して配置されることによって通気性を確保しつつも、着用者の肌から肌側シートへ圧力が加わると凸部５３だけでなく、複数の凸部５３間に位置する凹部５４も着用者の肌に接触する。凹部５４に配置されている繊維本体５５１の表面も油層５５２で覆われているため、植物油を着用者の肌に均一に転写し易くなる。
【００３６】
凸部５３は表面シートの面内方向に分散していればよい。表面シート５１では、図２及び図３に示すように、凸部５３が表面シート５１の面内方向に均等に分散してよい。また、凸部５３間に位置する凹部５４が表面シート５１の面内方向に均等に分散してよい。各凸部５３の断面形状としては、全体として稜線が滑らかに丸みを帯びた、ドーム状の形状、扁平な直方体、或いは截頭四角錐体等であってよい。
【００３７】
表面シート５１は、１枚の不織布で構成されていてもよい。本実施形態の表面シート５１は、図２及び図３に示すように、互いに積層された第１不織布５１１及び第２不織布５１２が部分的に熱融着して形成された立体シートで形成されてよい。表面シート５１では、互いに積層された第１不織布５１１及び第２不織布５１２が部分的に熱融着されて形成されてよい。第１不織布５１１が、熱融着により形成された部分である融着部で囲まれた非融着部において第２不織布５１２から肌面側に離れる方向に突出して、内部が中空の凸部５３を多数形成している（図４参照）。表面シート５１は、第２不織布５１２側の面がほぼ平坦であってよく、第１不織布５１１側に起伏の大きな複数の凸部５３と複数の凹部５４である底部からなる凹凸構造が形成されてよい。
【００３８】
表面シート５１の凹凸構造は、例えば、表面シート５１の製造時に、複数の融着部によって囲まれている部分に相当する部分を、第１不織布５１１における第２不織布５１２と対向する面側である裏面側から押圧したり、第１不織布５１１における第２不織布５１２と対向する面とは反対側の面側である表面側から吸引したりすること等によって、任意の形状の凸部５３を形成することができる。
【００３９】
第１不織布５１１及び第２不織布５１２を構成する不織布としては、例えば、エアスルー不織布、スパンボンド不織布、スパンレース不織布、メルトブローン不織布、レジンボンド不織布、ニードルパンチ不織布などが挙げられる。これらの不織布を２種以上組み合わせた積層体や、これらの不織布とフィルム等とを組み合わせた積層体を用いることもできる。
【００４０】
なお、実施形態では、肌側シート５０には、植物油を含む肌保護材料が塗布されて形成される肌保護層が設けられていない。これにより、非肌面側Ｔ２への排泄物の移動が肌保護層にブロックされないため、吸水性能を維持することができる。
【００４１】
図５に示すように、不織布を構成する第１繊維５５は、繊維本体５５１と油層５５２とからなる。親水性を有する繊維処理剤からなる油層５５２は、不織布を構成する繊維本体５５１を覆っている。従って、図５Ｂに示すように、各繊維本体５５１上に油層５５２が配置されている。油層５５２は、肌側シート５０の肌面側Ｔ１を構成する不織布の繊維だけでなく、肌側シート５０の非肌面側Ｔ２を構成する不織布の繊維の表面上に配置されてよい。
【００４２】
ここで、油層５５２は、各繊維本体５５１の表面全体を完全に覆っていてもよいし、
各繊維本体５５１の表面全体が完全には覆われず、各繊維本体５５１の表面を実質的に覆っていてもよい。また、油層５５２は、各繊維本体５５１の表面に分散して配置されており、各繊維本体５５１の表面が部分的に露出していてもよい。不織布を構成する繊維の大きさは、着用者の肌に比べて非常に小さいため、各繊維本体５５１の表面上に油層５５３が分散して配置されていれば、植物油を着用者の肌に均一に転写できる。
【００４３】
繊維処理剤は、親水性を有する油剤により構成される。繊維処理剤は、石油由来の油剤により構成されてよい。また、繊維処理剤は、植物由来の油剤により構成されてよい。植物由来の油剤は、人の皮膚に直接塗布される化粧品などに使用された実績がある。従って、吸収性物品１０を着用者に装着する装着補助者又は着用者に、吸収性物品１０が油層５５２を有することに対する安心感を与えることができる。
【００４４】
繊維処理剤は、例えば、天然油脂由来の脂肪酸（Ａ）と、天然油脂のポリオキシアルキレン付加物（Ｂ）と、天然油脂のポリオキシアルキレン付加物の脂肪酸エステル（Ｃ）とを含有する吸水性物品用繊維処理剤であってよい。天然油脂由来の脂肪酸（Ａ）は、例えば、オレイン酸含有の脂肪酸であってよい。天然油脂のポリオキシアルキレン付加物（Ｂ）が植物油脂由来であってよい。植物油脂由来である天然油脂のポリオキシアルキレン付加物（Ｂ）は、植物油脂に対して人工的にオキシアルキレン基を付加させた化合物であってよい。天然油脂のポリオキシアルキレン付加物（Ｂ）は、ひまし油由来であってよい。本発明で用いる天然油脂のポリオキシアルキレン付加物の脂肪酸エステル（Ｃ）は、植物油脂由来であってよい。植物油脂由来である天然油脂のポリオキシアルキレン付加物の脂肪酸エステル（Ｃ）には、植物油脂に対して人工的にオキシアルキレン基を付加させ、さらにエステル化させた化合物であってよい。
【００４５】
植物油の一例として、オリーブ油、ホホバ油、ライス油、シアバター、茶油、アロエ油、アルガン油、桃油が挙げられる。油層５５２には、植物油として、オリーブ油、ホホバ油、ライス油、シアバター、茶油、アロエ油、アルガン油、桃油のうちの１種類以上の植物油が存在してよい。これにより、油層５５２に含まれる植物油が、食品で使用されている植物油、又は、肌保護のために実際に肌に塗布されている植物油であるため、吸収性物品を着用者に装着する装着補助者又は着用者に、吸収性物品に含まれる植物油に対する安心感を与えることができる。
【００４６】
油層５５２には、植物油として、オリーブ油、ホホバ油、ライス油、シアバター、茶油、アロエ油、アルガン油、桃油のうちの２種以上の植物油が存在してよい。これにより、２種以上の植物油が着用者の肌に転写されることによる複数の効果（例えば、保湿効果、抗炎症効果、抗酸化効果など）が得られ易くなり、着用者の肌を多面的に保護することができる。
【００４７】
油層５５２には、油層５５２の重量に対して５重量％以上、２０重量％以下の植物油が存在してよい。油層５５２に５重量％以上の植物油が存在することにより、着用者の肌に接触する植物油の量が増加するため、植物油を着用者の肌に均一に転写し易くなる。また、油層５５２に２０重量％以下の植物油が存在することにより、油層５５２が繊維本体５５１を覆っていても、植物油の疎水性によって排泄物の移動が阻害され難いため、親水性の排泄物が第１繊維５５の隙間を移動でき、吸水性能の悪化を抑制できる。
【００４８】
なお、植物油の重量％は、例えば、以下の方法により測定できる。まず、肌側シート５０から、所定面積の不織布（例えば、５ｇ程度の不織布）を準備する。準備した不織布の重さを測定する。準備した不織布をジエチルエーテル・エタノールの混合抽出溶液に漬ける。不織布を混合抽出溶液から取り出し、不織布を乾燥させる。乾燥させた不織布の重さを測定する。準備した不織布の重さと乾燥させた不織布の重さとの差を油層重量とみなす。
【００４９】
次に、混合抽出溶液を気化させて得られた残留物から、既存の成分分析器によって、植物油の配合率を測定する。油層重量に、植物油の配合率をかけることによって植物油の重量を算出できる。植物油の重量％は、（植物油の重量／油層重量）×１００により算出することができる。
【００５０】
油層５５２は、弱酸性であってよい。具体的には、油層５５２を構成する繊維処理剤のｐＨが、５〜６．５の範囲であってよい。着用者の肌は弱酸性であるため、同じ弱酸性の油層５５２が着用者の肌に触れても、着用者の肌に対する刺激を受け難くなる。
【００５１】
第１繊維５５（繊維本体５５１）を構成する繊維の種類は、特に限定されない。繊維本体５５１として、通常用いられる疎水性の合成繊維を用いることができる。例えば、合成繊維として、ポリオレフィン、ポリエステル、ポリアミド等が挙げられる。ポリオレフィンとしては、ポリエチレン、ポリプロピレン、エチレン酢酸ビニル共重合体、エチレン・プロピレン共重合体、及びエチレン・プロピレン・１−ブテン共重合体などが挙げられる。また、ポリエステルとしては、ポリエチレンテレフタレート、ポリブチレンテレフタレート、ポリトリメチレンテレフタレート、ポリエチレンテレフタレート・イソフタレート、及びポリエーテルポリエステルなどが挙げられる。ポリアミドとしては、６，６−ナイロン、及び６−ナイロンなどが挙げられる。
【００５２】
第１繊維を作成する方法、すなわち、繊維本体５５１の表面を油層５５２により覆う方法は、特に制限はなく、紡糸、延伸などの任意の工程で、オイリングロール法、浸漬法、噴霧法などの通常用いられる方法を利用することができる。また、紡糸、延伸などの繊維処理を行う際に用いられる既存の繊維処理剤に植物油を追加した油剤を用いて、当該繊維処理を行ってよい。これにより、植物油を塗布する工程を追加することなく、吸収性物品１０を生産できるため、生産効率の低下を抑制できる。
【００５３】
図５Ａに示すように、肌側シート５０は、第１繊維５５間に配置されている第２繊維５６である天然繊維を有してよい。図５Ｃに示すように、第２繊維５６（天然繊維）の表面は、油層５５２によって覆われていなくてよい。これにより、着用者の排尿によって油層５５２が第１繊維５５から剥がされた場合に、剥がされた油層５５２が第２繊維５６（天然繊維）に吸着されることによって、肌側シート５０に植物油が残り易くなる。これにより、排尿後においても、着用者の肌を保護する効果を得ることができる。
【００５４】
天然繊維は、例えば、オーガニックコットンを構成する繊維であってよい。なお、「オーガニックコットン」は、農業段階において、国際的な基準（CODEXに準じた各国の基準）に基づき有機性が認証され、それが証明されるコットンを意味する。
【００５５】
図５Ａに示すような不織布は、第１繊維５５と第２繊維５６との混合繊維から形成することができる。第１繊維５５と第２繊維５６とを混合する前に、繊維本体５５１の表面を油層５５２により覆うことにより、第２繊維５６（天然繊維）の表面が、油層５５２によって覆われない。
【００５６】
図１に示すように、肌側シート５０（表面シート５１）は、肌側シート５０が厚さ方向Ｔに圧搾された圧搾部４５と、圧搾部４５の周囲に位置する非圧搾部４６とを有してよい。なお、圧搾部４５を形成する場合、肌側シート５０のみを圧搾してもよく、肌側シート５０と吸収体３０とを圧搾してもよい。非圧搾部４６は、肌側シート５０が圧搾されていない部分であってよい。
【００５７】
圧搾部４５における単位面積当たりの繊維（すなわち、肌側シート５０を構成する不織布）に対する植物油の重量％は、非圧搾部における単位面積当たりの繊維（すなわち、肌側シート５０を構成する不織布）に対する植物油の重量％と同一であってよい。油層５５２は、繊維本体５５１の表面を覆っており、圧搾部４５と非圧搾部４６とで繊維の重量自体は同一であるため、油層５５２に含まれる植物油の重量も同一である。圧搾部４５と非圧搾部４６とで植物油の量が変化しないため、植物油を着用者の肌に均一に転写し易くなる。
【００５８】
なお、上述と同様の方法により、圧搾部４５における所定面積の不織布と、非圧搾部４６における所定面積の不織布とのそれぞれにおける植物油の重量％を算出できる。算出した植物油の重量％どうしを比較することで、圧搾部４５における単位面積当たりの繊維に対する植物油の重量％は、非圧搾部における単位面積当たりの繊維に対する植物油の重量％と同一か否かを判定できる。
【００５９】
なお、植物油を肌側シート５０に塗布した場合、圧搾部４５には、非圧搾部４６と比べて、植物油が多く入り込んだり、逆に植物油が入り込まなかったりすることがある。従って、植物油を塗布した場合には、一般的に、圧搾部４５における単位面積当たりの繊維に対する植物油の重量％は、非圧搾部における単位面積当たりの繊維に対する植物油の重量％と異なる。
【００６０】
図６及び図７に示すように、吸収性物品の包装体１は、吸収性物品１０と、複数の吸収性物品１０を包装する袋状の包装シート２と、を有する。包装シート２は、袋状に成形されている。包装シート２内の空間に、複数の吸収性物品１０が収容されている。本実施の形態の吸収性物品１０は、使い捨ておむつであり、二つ折りに畳まれた状態で包装シート２内に収容されている。
【００６１】
包装シート２は、吸収性物品１０に植物油が存在することを示す表示部３を有する。吸収性物品１０用者に装着する装着補助者又は着用者が、包装シートの表示部３を視認することで、吸収性物品１０には植物油が存在することを把握できる。植物油は、天然に存在するものであるため、装着補助者又は着用者に対して安心感を与えることができる。
【００６２】
本実施形態では、表示部３には、吸収性物品１０に植物油が存在することを示すために、「植物オイル配合」と表示されている。なお、吸収性物品１０に植物油が存在することを示すために、表示部３は、他の表現が用いられてよい。
【００６３】
図６に示すように、表示部３は、包装体１の正面に配置されている。表示部３は、正面と反対側である裏面に配置されてよいし、包装体１の正面と裏面との間をつなぐ包装体１の側面に配置されてよい。
【００６４】
表示部３は、包装シート２に直接印刷されていてもよい。従って、包装シート２自体が吸収性物品１０には植物油が存在することを示してよい。また、表示部３は、粘着部を有するシール部材により構成されており、包装シート２に接着されてもよい。
【００６５】
（３）その他実施形態
以上、上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【００６６】
上述の実施形態において、肌側シート５０には、吸水性能が悪化しない範囲内で、肌保護材料が塗布されて形成される肌保護層が設けられてよい。
【００６７】
上述の実施形態において、肌側シート５０は、第１繊維５５と第２繊維５６とにより構成される不織布であったが、これに限られない。肌側シート５０は、第２繊維５６を含まずに、第１繊維５５により構成される不織布であってよい。
【符号の説明】
【００６８】
１        ：包装体
２        ：包装シート
３        ：表示部
１０      ：吸収性物品
２３      ：裏面シート
２４      ：外装シート
３０      ：吸収体
３１      ：吸収コア
３２      ：コアラップ
４３      ：防漏伸縮部
４５      ：圧搾部
４６      ：非圧搾部
５０      ：肌側シート
５１      ：表面シート
５２      ：サイドシート
５３      ：凸部
５４      ：凹部
５５      ：第１繊維
５６      ：第２繊維
６５      ：脚回り開口部
５１１    ：第１不織布
５１２    ：第２不織布
５５１    ：繊維本体
５５２    ：油層
Ｓ１      ：前胴回り域
Ｓ２      ：後胴回り域
Ｓ３      ：股下域
【図１】
0003219622.tif 000003
【図２】
0003219622.tif 000004
【図３】
0003219622.tif 000005
【図４】
0003219622.tif 000006
【図５】
0003219622.tif 000007
【図６】
0003219622.tif 000008
【図７】
0003219622.tif 000009